(57)【要約】【課題】接続端子を備える基板を着脱可能に保持し当該基板を挿入すると当該接続端子と電気的に接続する接続ピンを備えるコネクタに着脱可能なコネクタカバーにおいて、コネクタにコネクタカバーを装着してから基板を装着しても、接続端子と接続ピンとの接続不良を防止することができるコネクタカバーを提供する。【解決手段】コネクタの上面を覆う凹部と、コネクタの側面を保持する保持部と、前記凹部から突出しコネクタの接続ピンに当接する凸部とを備え、前記凸部は、側面に研磨部を備え、端部に布部材を備える。【選択図】      図２
2004349036.tif 000002
【特許請求の範囲】
【請求項１】
接続端子を備える基板を着脱可能に保持し当該基板を挿入すると当該接続端子に当接し電気的に接続する接続ピンを備えるコネクタに着脱可能なコネクタカバーにおいて、
コネクタの上面を覆う凹部と、コネクタの側面を保持する保持部と、前記凹部から突出しコネクタの接続ピンに当接する凸部とを備え、
前記凸部は、側面に研磨部を備え、端部に布部材を備えることを特徴とするコネクタカバー。
【発明の詳細な説明】
【０００１】
【発明の属する技術分野】
本発明は、接続端子を備える基板を着脱可能に保持し当該基板を挿入すると当該接続端子に当接し電気的に接続する接続ピンを備えるコネクタに着脱可能なコネクタカバーに関する。
【０００２】
【従来の技術】
従来、パーソナルコンピュータ（Ｐｅｒｓｏｎａｌ  Ｃｏｍｐｕｔｅｒ）（以下、パソコンという）では、データを記憶するメモリまたはデータ処理を行うマイクロコンピュータが取付けられた基板等（以下、拡張基板という）を着脱可能なコネクタを備え、当該コネクタに拡張基板を装着することにより、パソコンの性能を拡張することができる構成が用いられている。
【０００３】
図５は、従来のパソコンと拡張基板を示す斜視図である。
パソコン２０は、筐体１０、マザーボード３、図示しないキーボード、マウス及びハードディスクドライブ（ＨＤＤ：Ｈａｒｄ  Ｄｉｓｋ  Ｄｒｉｖｅ）等を備える。マザーボード３は、ＣＰＵ（Ｃｅｎｔｒａｌ  Ｐｒｏｃｅｓｓｉｎｇ  Ｕｎｉｔ）から成る制御部４及び複数のコネクタ５を備える。コネクタ５は、直方体を成し、上面に凹部５０１と後述する接続ピンを備える。
【０００４】
パソコン２０は、キーボードまたはマウスが操作されると、予めハードディスクドライブに記録されている文章作成プログラムや表計算プログラム等を実行するよう制御部４が制御し、図示しない出力部から処理した信号を出力する。
【０００５】
拡張基板７は、薄板状の部材であり、接続端子７０１及びメモリ７０２を備える。接続端子７０１は、薄い導電板から成り、拡張基板７の下部に設けられている。接続端子７０１は、図示しない導線によってメモリ７０２と電気的に接続している。
【０００６】
図６は、コネクタ５と拡張基板７を示す図で、図６（ａ）は拡張基板７をコネクタ５に挿入する状態を示す断面図、図６（ｂ）は図６（ａ）の状態から拡張基板７をコネクタ５に装着した状態を示す断面図である。
【０００７】
接続ピン６は、くの字状の鋼材から成り、凹部５０１を軸に左右対象となる位置にそれぞれ配置される。接続ピン６の上部は、凹部５０１の内壁に形成された図示しない孔に挿入され、接着剤により固定される。接続ピン６は、中央部に凹部５０１の内側に屈曲して突出した屈曲部６０１を備える。接続ピン６の下部は、凹部５０１の内壁に形成された図示しない孔に挿入され、コネクタ５の下面から突出する。
【０００８】
マザーボード３は、貫通した孔３０１を備える。孔３０１は、図示しない導線によって制御部４と電気的に接続している。
【０００９】
コネクタ５の下面から突出した接続ピン６は、孔３０１へ挿入され、半田付けによりマザーボード３に固定される。右側の屈曲部６０１から左側の屈曲部６０１までの幅は、接続端子７０１の幅より小さい。
【００１０】
拡張基板７をコネクタ５に装着する場合は、図６（ａ）に示すように、コネクタ５の上方から凹部５０１に接続端子７０１を挿入する。接続ピン６は、図６（ｂ）に示すように、拡張基板７が挿入されることによって、屈曲部６０１が接続端子７０１と当接し、その弾性により接続端子７０１を狭持する。このとき、拡張基板７は、接続端子７０１が屈曲部６０１に当接することにより、接続ピン６を介してメモリ７０２とマザーボード３の制御部４とが電気的に接続する。
【００１１】
パソコン２０は、拡張基板７をコネクタ５に装着することによって、メモリ７０１を用いた信号処理を行うことができる。
【００１２】
マザーボード３に装着した拡張基板７を離脱させる場合は、図６（ｂ）に示す状態から拡張基板７を上方へ引き上げる。
【００１３】
図７は、従来のコネクタに拡張基板を装着せずに長時間が経過した状態を示す断面図である。
【００１４】
パソコン２０は、拡張基板７を装着しない状態で長時間が経過した後、拡張基板７がコネクタ５に装着される場合がある。コネクタ５に拡張基板７を装着しない状態で長時間が経過すると、図７に示すように、パソコン２０の内部に侵入した埃１１が屈曲部６０１に堆積することがある。この状態で、拡張基板７をコネクタ５に挿入すると、屈曲部６０１に堆積した埃１１によって、接続端子７０１と接続ピン６との間に接続不良が発生し、パソコン２０の動作に不具合が発生することがあった。
【００１５】
このため、拡張基板を装着しないコネクタ５に防塵カバー（コネクタカバー）を被せることにより、コネクタ５の内部に埃が堆積することを防止する技術が知られている（例えば、特許文献１参照）。
【００１６】
【特許文献１】
特開平１０−３２６６４０号公報
【００１７】
【発明が解決しようとする課題】
従来のコネクタカバーは、コネクタに嵌合する凹部を備え、当該凹部をコネクタに被せることによって、パソコン２０の内部に侵入した埃が、コネクタの内部に堆積することを防止している。
【００１８】
しかしながら、従来のコネクタカバーは、凹部の内径とコネクタの外径との間に僅かな誤差が生じていると、コネクタとの間に隙間が生じる。そのため、パソコンの内部に浮遊した埃が、その隙間からコネクタ内部に侵入し、接続ピンに埃が堆積してしまう。
【００１９】
また、従来のコネクタカバーをコネクタに被せても、接続ピンは常に大気に晒された状態となる。大気に晒された接続ピンの表面は、大気中に含まれる水分によって、時間の経過に伴って酸化膜やサビが生じる。この状態で拡張基板を装着すると、接続ピンの表面に生じた酸化膜やサビにより、接続端子と接続ピンとの接続不良が発生する。
【００２０】
本発明は、接続端子を備える基板を着脱可能に保持し当該基板を挿入すると当該接続端子と電気的に接続する接続ピンを備えるコネクタに着脱可能なコネクタカバーにおいて、コネクタにコネクタカバーを装着してから基板を装着しても、接続端子と接続ピンとの接続不良を防止することができるコネクタカバーを提供することを目的とする。
【００２１】
【課題を解決するための手段】
本願の請求項１記載の発明は、接続端子を備える基板を着脱可能に保持し当該基板を挿入すると当該接続端子に当接し電気的に接続する接続ピンを備えるコネクタに着脱可能なコネクタカバーにおいて、コネクタの上面を覆う凹部と、コネクタの側面を保持する保持部と、前記凹部から突出しコネクタの接続ピンに当接する凸部とを備え、前記凸部は、側面に研磨部を備え、端部に布部材を備えることを特徴とする。
【００２２】
【発明の実施の形態】
本発明の実施の形態を図面を参照して説明する。なお、従来技術で示した構成要素と同一の部分については同符号を用いる。
【００２３】
図１は、本発明の一実施例のコネクタカバーとパソコンを示す斜視図である。
【００２４】
パソコン２０は、筐体１０、マザーボード３、図示しないキーボード、マウス及びハードディスクドライブ等を備える。マザーボード３は、ＣＰＵから成る制御部４及び複数のコネクタ５を備える。コネクタ５は、直方体を成し、上面に凹部５０１と接続ピンを備える。
【００２５】
コネクタ５は、図示しない拡張基板を着脱可能に保持する。コネクタ５及び拡張基板の構成については、従来技術で示した構成と同一であり、説明を省略する。
【００２６】
パソコン２０は、キーボードまたはマウスが操作されると、予めハードディスクドライブに記録されている文章作成プログラムや表計算プログラムを実行するよう制御部４が制御し、図示しない出力部から処理した信号を出力する。
【００２７】
図２は、本発明の一実施例のコネクタカバー１を示す図で、図２（ａ）は斜視図、図２（ｂ）は断面図である。
コネクタカバー１は、合成樹脂部材から成り、右側面及び左側面の前端部及び後端部に、それぞれ水平方向に貫通する孔１０２を備える。孔１０２の底面の中央からは、上方へ突出する保持部１０３を備える。保持部１０３の先端には、内側方向へ突出する爪部１０４を備える。凹部１０１の略中央には、薄い板状を成し、上方へ突出する凸部１０５を備える。
【００２８】
凸部１０５の右側面及び左側面には、研磨部１０６を備える。研磨部１０６は、粉末状のダイヤモンド（ｄｉａｍｏｎｄ）、アルミナ（ａｌｕｍｉｎａ）等の研磨材を接着剤により、凸部１０５の表面へ略均一に固着させたものから成り、表面を鋼材に当接させ摺動することによって、当該鋼材の表面を研磨する。凸部１０５の上部には、綿（ｃｏｔｔｏｎ）などの織物又は不織布等を有する布部１０７が取付けられている。
【００２９】
コネクタカバー１の右側面の爪部１０４の先端から左側面の爪部１０４の先端までの幅は、コネクタ５の右側面から左側面までの幅より僅かに小さい。
【００３０】
図３は、コネクタカバー１をコネクタ５に装着する状態を示す図で、図３（ａ）及び図３（ｂ）は図３（ａ）の状態からコネクタカバー１をコネクタ５に挿入する状態を示す断面図、図３（ｃ）は、図３（ｂ）の状態から更にコネクタカバー１をコネクタ５に挿入した状態を示す断面図である。
【００３１】
コネクタカバー１をコネクタ５に装着する場合は、図３（ａ）に示すように、凹部１０１が下面となるよう配設し、コネクタ５の上方から挿入する。
【００３２】
接続ピン６は、図３（ｂ）に示すように、凸部１０５が凹部５０１に挿入されることによって、屈曲部６０１が凸部１０５と当接した後、弾性により外側方向へ押し広げられる。また、保持部１０３は、コネクタ５の側面に当接し、その弾性により凸部１０５を狭持する。
【００３３】
この状態から更に、コネクタカバー１を挿入し、図３（ｃ）に示すように、凹部１０１の底面がコネクタ５の上面と当接する位置となるようにする。この結果、コネクタカバー１は、爪部１０４がコネクタ５の側面を狭持した状態でコネクタ５へ装着する。
【００３４】
図４は、コネクタカバー１をコネクタ５に装着していた状態からコネクタカバー１を離脱させる状態を示す図で、図４（ａ）は、コネクタカバー１を上方へ引き上げた状態を示す断面図、図４（ｂ）は、図４（ａ）の状態から更にコネクタカバー１を上方へ引き上げた状態を示す断面図である。
【００３５】
本実施例では、接続ピン６の表面に図示しない酸化膜やサビが生じているものとする。
【００３６】
コネクタ５に装着したコネクタカバー１を離脱させる場合は、図４（ａ）に示すようにコネクタカバー１を上方へ引き上げる。その結果、屈曲部６０１の表面は、研磨部１０６が摺動することにより研磨される。また、屈曲部６０１の表面には、酸化膜やサビが研磨され粉状となった研磨屑１２が生じる。
【００３７】
図４（ａ）の状態から更にコネクタカバー１を上方へ引き上げると、図４（ｂ）に示すように、屈曲部６０１の表面に布部１０７が摺動する。その結果、屈曲部６０１の表面に生じた研磨屑１２は、布部１０７に付着し、屈曲部６０１の表面から除去される。
【００３８】
以上の構成により、コネクタ５へ新たに拡張基板を装着する場合は、コネクタ５に装着したコネクタカバー１を上方へ引き上げることにより、屈曲部６０１の表面に生じた酸化膜やサビを研磨部１０６が研磨した後、研磨によって生じた研磨屑１２を布部１０７が除去する。屈曲部６０１の表面に生じた酸化膜やサビがコネクタカバー１によって除去されることにより、コネクタ５へ拡張基板を挿入しても、接続端子と屈曲部６０１との間で接続不良が発生するのを防止することができる。
【００３９】
【発明の効果】
本発明によれば、接続端子を備える基板を着脱可能に保持し当該基板を挿入すると当該接続端子と電気的に接続する接続ピンを備えるコネクタに着脱可能なコネクタカバーにおいて、コネクタにコネクタカバーを装着してから基板を装着しても、接続端子と接続ピンとの接続不良を防止することができるコネクタカバーを提供することができる。
【図面の簡単な説明】
【図１】本発明の一実施例のコネクタカバーとパソコンを示す斜視図。
【図２】本発明の一実施例のコネクタカバー１を示す図で、図２（ａ）は斜視図、図２（ｂ）は断面図。
【図３】コネクタカバー１をコネクタ５に装着する状態を示す図で、図３（ａ）及び図３（ｂ）は図３（ａ）の状態からコネクタカバー１をコネクタ５に挿入する状態を示す断面図、図３（ｃ）は、図３（ｂ）の状態から更にコネクタカバー１をコネクタ５に挿入した状態を示す断面図。
【図４】コネクタカバー１をコネクタ５に装着していた状態からコネクタカバー１を離脱させる状態を示す図で、図４（ａ）は、コネクタカバー１を上方へ引き上げた状態を示す断面図、図４（ｂ）は、図４（ａ）の状態から更にコネクタカバー１を上方へ引き上げた状態を示す断面図。
【図５】従来のパソコンと拡張基板を示す斜視図。
【図６】コネクタ５と拡張基板７を示す図で、図６（ａ）は拡張基板７をコネクタ５に挿入する状態を示す断面図、図６（ｂ）は図６（ａ）の状態から拡張基板７をコネクタ５に装着した状態を示す断面図。
【図７】コネクタ５に拡張基板７を装着せずに長時間経過した状態を示す断面図。
【符号の説明】
１  コネクタカバー、１０１  凹部、１０２  孔、１０３  保持部、
１０４  爪部、１０５  凸部、１０６  研磨部、１０７  布部、
３  マザーボード、３０１  孔、
４  制御部、５  コネクタ、５０１  凹部、６  接続ピン、６０１  屈曲部、
７  拡張基板、７０１  接続端子、７０２  メモリ、
１０  筐体、１１  埃、１２  研磨屑、２０  パソコン
【図１】
2004349036.tif 000003
【図２】
2004349036.tif 000004
【図３】
2004349036.tif 000005
【図４】
2004349036.tif 000006
【図５】
2004349036.tif 000007
【図６】
2004349036.tif 000008
【図７】
2004349036.tif 000009